(57)【要約】【課題】より厚い書類の収容に好適なファイル用ポケットそれを用いたファイルを提供すること【解決手段】樹脂フィルムよりなるシート体１１を折曲部１２で折り曲げ、その折曲部１２と反対側の端部と、下端部とを接合して袋状に形成したファイル用ポケット１０において、下端部の接合部の両端にシート体１１の正面側シート１１ａと背面側シート１１ｂとが離間可能な開通部１５を設けた。この開通部１５を通じて空気が出入りできるため、ファイル用ポケット１０に厚手の書類をスムーズに出し入れできる。また、開通部１５が書類の厚さに応じて広がることで、厚い書類をファイル用ポケット１０の奥にまで挿入できる。【選択図】図１
0003177545.tif 000002
【実用新案登録請求の範囲】
【請求項１】
樹脂フィルムよりなるシート体と、
前記シート体をその上端及び下端の辺と垂直な方向に折り曲げてなる折曲部と、
前記折曲部の反対側で重ね合わされた前記シート体の端部同士を接合する第１の接合部と、
重ね合わされた前記シート体の下端部同士を接合する第２の接合部とを有し、
前記第２の接合部の一部に前記シート体同士が離間可能な開通部が設けられていることを特徴とするファイル用ポケット。
【請求項２】
前記開通部は、前記第２の接合部の両端にそれぞれ形成されていることを特徴とする
請求項１に記載のファイル用ポケット
【請求項３】
前記開通部は３〜１０ｍｍの長さに形成されていることを特徴とする請求項２に記載のファイル用ポケット。
【請求項４】
前記第１の接合部は、上端付近で前記シート体の外側に向かって傾斜した傾斜部を有することを特徴とする請求項１乃至３の何れか１項に記載のファイル用ポケット。
【請求項５】
樹脂フィルムよりなるシート体と、前記シート体をその上端及び下端の辺と垂直な方向に折り曲げてなる折曲部と、前記折曲部の反対側で重ね合わされた前記シート体の端部同士を接合する第１の接合部と、重ね合わされた前記シート体の下端部同士を接合する第２の接合部とを有し、前記第２の接合部の一部に前記シート体同士が離間可能な開通部が設けられているファイル用ポケットと、
前記ファイル用ポケットを保持する綴具と、
を備えたことを特徴とするファイル。
【考案の詳細な説明】
【技術分野】
【０００１】
本考案は、袋状に形成されたファイル用ポケット及びそれを用いたファイルに関する。
【背景技術】
【０００２】
ファイル用ポケットとしては、透明材料よりなるシート体を折り曲げて側部及び下部を溶着して袋状に形成し、その内部に例えば書類等を収容して保管できるようにしたものがある。
【０００３】
ところが、従来のファイル用ポケットは、数枚程度の薄い書類の収容には好適であるものの、書類が厚くなると書類をスムーズに出し入れするのが難しくなるという問題がある。また、厚手の書類をファイル用ポケットの奥にまで挿入するのが困難であり、書類の一部がファイル用ポケットの上端からはみ出してしまう。そのため、厚手の書類の保管中に書類を破損させてしまうおそれがある。
【先行技術文献】
【特許文献】
【０００４】
【特許文献１】登録実用新案第３０７３６１３号公報
【特許文献２】登録実用新案第２５１３９８８号公報
【考案の概要】
【考案が解決しようとする課題】
【０００５】
そこで、より厚い書類の収容に好適なファイル用ポケット及びそれを用いたファイルを提供することを目的とする。
【課題を解決するための手段】
【０００６】
一観点によれば、樹脂フィルムよりなるシート体と、前記シート体をその上端及び下端の辺と垂直な方向に折り曲げてなる折曲部と、前記折曲部の反対側で重ねあわされた前記シート体の端部同士を接合する第１の接合部と、重ねあわされた前記シート体の下端部同士を接合する第２の接合部とを有し、前記第２の接合部の一部に前記シート体同士が離間可能な開通部が設けられているファイル用ポケットが提供される。
【考案の効果】
【０００７】
上記観点のファイル用ポケットによれば、書類を出し入れする際に、第２の接合部に設けられた開通部を介して空気が出入りするので、厚手の書類をスムーズに出し入れできる。
【０００８】
さらに、ファイル用ポケットに書類を入れたときに、書類の厚さに応じて開通部が離間することで、厚い書類をファイル用ポケットの奥にまで入れることができ、ファイル用ポケットからの書類のはみ出しを防止できる。
【図面の簡単な説明】
【０００９】
【図１】図１は、実施形態に係るファイル用ポケットの斜視図である。
【図２】図２（ａ）は、図１のファイル用ポケットの第２の接合部付近の拡大図であり、図２（ｂ）は図２（ａ）のＡ−Ａ部分の断面図である。
【図３】図３は、図１のファイル用ポケットに書類を途中まで入れた状態を示す平面図である。
【図４】図４は、図１のファイル用ポケットの奥まで書類を入れたときの開通部付近の斜視図である。
【図５】図５は、図１のファイル用ポケットを用いたファイルを示す斜視図である。
【考案を実施するための形態】
【００１０】
以下、添付の図面を参照して実施形態について説明する。
【００１１】
図１は、実施形態に係るファイル用ポケットの斜視図である。
【００１２】
図１に示すように、このファイル用ポケット１０は、１枚の略矩形状のシート体１１を備え、そのシート体１１は折曲部１２で折り曲げられている。そして、折曲部１２を境にしてシート体１１の一方の側が正面側シート１１ａとなり、他方の側が背面側シート１１ｂとなっている。このシート体１１は、例えばポリプロピレンなどの透明な熱可塑性樹脂製のフィルムで形成される。
【００１３】
また、シート体１１には、折曲部１２に平行な辺に沿って複数の綴穴１７が一列に並んで形成されている。そして、この綴穴１７の横には、一点鎖線状に正面側シート１１ａと背面側シート１１ｂとを溶着してなる第１の接合部１３が形成されている。
【００１４】
この第１の接合部１３は、シート体１１の上端側から下端側にかけて略直線状に形成される。但し、第１の接合部１３の上端側には、書類をファイル用ポケット１０の内部に導入しやすくするべく、シート体１１の外側に向かって傾斜した傾斜部１３ａが設けられている。
【００１５】
さらに、シート体１１の下端部には、正面側シート１１ａと背面側シート１１ｂとを一点鎖線状に接合した溶着部１４を含む第２の接合部１６が形成されている。この第２の接合部１６と、第1の接合部１３と折曲部１２とにより、シート体１１が袋状に形成されている。
【００１６】
本実施形態のファイル用ポケット１０では、上記の第２の接合部１６において、正面側シート１１ａと背面側シート１１ｂとが離間可能な開通部１５が設けられている。
【００１７】
図２（ａ）は、図１のファイル用ポケット１０の第２の接合部１６の付近の拡大平面図であり、図２（ｂ）は図２（ａ）のＡＡ部分の断面図である。
【００１８】
図２（ａ）及び図２（ｂ）に示すように、開通部１５は第２の接合部１６の両端、すなわち第１の接合部１３に隣接した部分と、折曲部１２に隣接した部分とに設けられており、その開通部１５には一点鎖線状の溶着部１４が形成されていない。そのため、開通部１５では、正面側シート１１ａと背面側シート１１ｂとが重なっているだけであり、空気が通過できるとともに、開通部１５を広げる方向の力を加えると正面側シート１１ａと背面側シート１１ｂとが離間する。
【００１９】
開通部１５の長さは、例えば３ｍｍ〜１０ｍｍ程度、より好ましくは８ｍｍ程度とすると好適である。
【００２０】
なお、開通部１５の長さを上記の範囲よりも小さくすると、空気の流路が不十分になると共に、正面側シート１１ａと背面側シート１１ｂとが離間し難くなる。また、開通部１５の長さは上記の範囲よりも大きくしても良いが、その場合には例えばペンやコイン等の書類以外の小物をファイル用ポケット１０に入れたときに、それらの小物が開通部１５から落ちるおそれがある。
【００２１】
図３は、図１のファイル用ポケット１０に書類５１を途中まで入れた状態を示す平面図であり、図４は図１のファイル用ポケット１０の奥まで書類５１を入れたときの第２の接合部１６の変形を示す斜視図である。
【００２２】
書類５１の厚みが増すと、書類５１とフィルム体１１との間の隙間が狭くなる。そのため、開通部１５を設けていないファイル用ポケットでは、書類を出し入れする際に、ファイル用ポケットの内部への空気の出入りが少なくなり、厚手の書類５１をスムーズに出し入れし難くなる。
【００２３】
これに対し、本実施形態のファイル用ポケット１０では、図３の矢印Ｂに示すように、底部に設けられた開通部１５を通じて、ファイル用ポケット１０の内部の空気が出入りできる。
【００２４】
そのため、本実施形態のファイル用ポケット１０によれば、書類５１の厚みが増した場合であっても、書類５１をファイル用ポケット１０にスムーズに出し入れできる。
【００２５】
また、図４に示すように、書類５１をファイル用ポケット１０の奥にまで入れたときに、開通部１５が書類の厚みに応じて白抜き矢印に示すように開き、正面側シート１１ａと背面側シート１１ｂが離間する。
【００２６】
これにより、書類５１の厚みが増した場合であっても、第２の接合部１６によって妨げられることなく、ファイル用ポケット１０の奥にまで厚手の書類５１を収容でき、書類５１のはみ出しを防止できる。
【００２７】
したがって、本実施形態のファイル用ポケット１０を用いれば、厚手の書類５１を破損させることなく保管できる。
【００２８】
以上のように、本実施形態によればより厚い書類の保管に好適なファイル用ポケットが得られる。
【００２９】
図５は、図１のファイル用ポケット１０を備えたファイル３０を示す斜視図である。
【００３０】
図５に示すファイル３０は、表紙３１、３２と、背表紙３３とを備えており、その背表紙３３には綴具３４が設けられている。そして、複数のファイル用ポケット１０が綴具３４によってファイル３０に取り付けられている。
【００３１】
このファイル３０は、図１のファイル用ポケット１０を備えているので、厚手の書類の保管に好適である。
【符号の説明】
【００３２】
１０…ファイル用ポケット、１１…シート体、１１ａ…正面側シート、１１ｂ…背面側シート、１２…折曲部、１３…第１の接合部、１３ａ…傾斜部、１４…溶着部、１５…開通部、１６…第２の接合部、１７…綴穴、３０…ファイル、３１、３２…表紙、３３…背表紙、３４…綴具、５１…書類。
【図１】
0003177545.tif 000003
【図２】
0003177545.tif 000004
【図３】
0003177545.tif 000005
【図４】
0003177545.tif 000006
【図５】
0003177545.tif 000007